(57)【要約】【課題】  オーディオトランスデューサ用音声マッチングシステムを提供する。【解決手段】  補助信号トランスデューサの出力を基準信号トランスデューサの出力と一致させるための方法および装置が提供され、前記補助信号トランスデューサおよび基準信号トランスデューサは、共通信号源からの音声信号を、個々の異なる信号経路に沿って受け取る。前記方法は、前記個々の信号経路に沿って受け取られた音声信号に対応して、前記補助トランスデューサおよび前記基準トランスデューサにより提供される信号振幅出力値を、複数の異なる周波数範囲のそれぞれの中で判定するステップと、前記基準トランスデューサの個々の信号振幅出力値に基づいて、前記補助トランスデューサの信号振幅出力値を、前記複数の異なる周波数範囲の少なくともいくつかの中で調節するステップとを含む。【選択図】図１
2005080303.tif 000002
【特許請求の範囲】
【請求項１】
補助信号トランスデューサの出力を基準信号トランスデューサの出力と一致させるための方法であって、前記補助信号トランスデューサおよび基準信号トランスデューサは、共通信号源からの音声信号を、個々の異なる信号経路に沿って受け取り、前記方法は、
前記個々の信号経路に沿って受け取られた音声信号に対応して、前記補助トランスデューサおよび前記基準トランスデューサにより提供される信号振幅出力値を、複数の異なる周波数範囲のそれぞれの中で判定するステップと、
前記基準トランスデューサの個々の信号振幅出力値に基づいて、前記補助トランスデューサの信号振幅出力値を、前記複数の異なる周波数範囲の少なくともいくつかの中で調節するステップとを含む方法。
【請求項２】
前記補助トランスデューサの前記信号振幅出力値を調節する前記ステップは、前記複数の周波数範囲のそれぞれの中で、前記補助トランスデューサの信号振幅と前記基準トランスデューサの信号振幅との間の１対１の比率を提供するステップをさらに含む、請求項１に記載の、出力を一致させる方法。
【請求項３】
前記補助トランスデューサおよび前記基準トランスデューサにより提供される信号振幅出力値を判定する前記ステップは、前記補助トランスデューサを通した信号経路の伝達関数を計算するステップをさらに含む、請求項１に記載の、出力を一致させる方法。
【請求項４】
前記補助トランスデューサを通した信号経路の伝達関数を計算する前記ステップは、前記計算された伝達関数を逆にして、前記補助トランスデューサを通した信号経路の影響を打ち消すフィルタにするステップをさらに含む、請求項１に記載の、出力を一致させる方法。
【請求項５】
信号振幅出力値を判定する前記ステップは、前記補助信号トランスデューサおよび前記基準トランスデューサからの信号のフーリエ変換を実行するステップをさらに含む、請求項１に記載の、出力を一致させる方法。
【請求項６】
前記補助信号トランスデューサおよび前記基準トランスデューサからの信号のフーリエ変換を実行する前記ステップは、前記補助トランスデューサおよび基準トランスデューサからの信号の振幅を、前記周波数範囲のそれぞれの中で比較するステップをさらに含む、請求項５に記載の、出力を一致させる方法。
【請求項７】
前記振幅を比較する前記ステップは、前記周波数範囲のそれぞれの中での、差の値を提供するステップをさらに含む、請求項６に記載の、出力を一致させる方法。
【請求項８】
前記周波数範囲のそれぞれの中での、差の値を提供する前記ステップは、所定のアルゴリズムの使用に基づいて、各周波数範囲についての調節値を決定するステップをさらに含む、請求項５に記載の、出力を一致させる方法。
【請求項９】
調節値を決定する前記ステップは、前記複数の周波数範囲の調節値から、有限インパルス応答フィルタを構築するステップをさらに含む、請求項５に記載の、出力を一致させる方法。
【請求項１０】
前記補助トランスデューサを、ラベリアマイクロフォンとして定義するステップをさらに含む、請求項１に記載の、出力を一致させる方法。
【請求項１１】
前記基準トランスデューサを、演壇に取り付けられたマイクロフォンとして定義するステップをさらに含む、請求項１に記載の、出力を一致させる方法。
【請求項１２】
前記音声信号を、人のスピーチとして定義するステップをさらに含む、請求項１に記載の、出力を一致させる方法。
【請求項１３】
補助信号トランスデューサの出力を基準信号トランスデューサの出力と一致させるための装置であって、前記補助信号トランスデューサおよび基準信号トランスデューサは、共通信号源からの音声信号を、個々の異なる信号経路に沿って受け取り、前記装置は、
前記個々の信号経路に沿って受け取られた音声信号に対応して、前記補助トランスデューサおよび前記基準トランスデューサにより提供される信号振幅出力値を、複数の異なる周波数範囲のそれぞれの中で判定するための手段と、
前記基準トランスデューサの個々の信号振幅出力値に基づいて、前記補助トランスデューサの信号振幅出力値を、前記複数の異なる周波数範囲の少なくともいくつかの中で調節するための手段とを含む装置。
【請求項１４】
前記補助トランスデューサの前記信号振幅出力値を調節するための前記手段は、前記複数の周波数範囲のそれぞれの中で、前記補助トランスデューサの信号振幅と前記基準トランスデューサの信号振幅との間の１対１の比率を提供するための手段をさらに含む、請求項１３に記載の、出力を一致させるための装置。
【請求項１５】
前記補助トランスデューサおよび前記基準トランスデューサにより提供される信号振幅出力値を判定するための前記手段は、前記補助トランスデューサを通した信号経路の伝達関数を計算するための手段をさらに含む、請求項１３に記載の、出力を一致させるための装置。
【請求項１６】
前記補助トランスデューサを通した信号経路の伝達関数を計算するための前記手段は、前記計算された伝達関数を逆にして、前記補助トランスデューサを通した信号経路の影響を打ち消すフィルタにするための手段をさらに含む、請求項１５に記載の、出力を一致させるための装置。
【請求項１７】
信号振幅出力値を判定するための前記手段は、前記補助信号トランスデューサおよび前記基準トランスデューサからの信号のフーリエ変換を実行するための手段をさらに含む、請求項１３に記載の、出力を一致させるための装置。
【請求項１８】
前記補助信号トランスデューサおよび前記基準トランスデューサからの信号のフーリエ変換を実行するための手段は、前記補助トランスデューサおよび基準トランスデューサからの信号の振幅を、前記周波数範囲のそれぞれの中で比較するための手段をさらに含む、請求項１３に記載の、出力を一致させるための装置。
【請求項１９】
前記振幅を比較するための手段は、前記周波数範囲のそれぞれの中での、差の値を提供するための手段をさらに含む、請求項１８に記載の、出力を一致させるための装置。
【請求項２０】
前記周波数範囲のそれぞれの中での、差の値を提供するための前記手段は、所定のアルゴリズムの使用に基づいて、各周波数範囲についての調節値を決定するための手段をさらに含む、請求項１３に記載の、出力を一致させるための装置。
【請求項２１】
調節値を決定するための前記手段は、前記複数の周波数範囲の調節値から、有限インパルス応答フィルタを構築するための手段をさらに含む、請求項１３に記載の、出力を一致させるための装置。
【請求項２２】
前記補助トランスデューサを、ラベリアマイクロフォンと定義するための手段をさらに含む、請求項１３に記載の、出力を一致させるための装置。
【請求項２３】
前記基準トランスデューサを、演壇に取り付けられたマイクロフォンと定義するための手段をさらに含む、請求項１３に記載の、出力を一致させるための装置。
【請求項２４】
前記音声信号を、人のスピーチと定義するための手段をさらに含む、請求項１３に記載の、出力を一致させるための装置。
【請求項２５】
補助信号トランスデューサの出力を基準信号トランスデューサの出力と一致させるための装置であって、前記補助信号トランスデューサおよび基準信号トランスデューサは、共通信号源からの音声信号を、個々の異なる信号経路に沿って受け取り、前記装置は、
前記個々の信号経路に沿って受け取られた音声信号に対応して、前記補助トランスデューサおよび前記基準トランスデューサにより提供される信号振幅出力値を、複数の異なる周波数範囲のそれぞれの中で判定するのに適合したフーリエ処理装置と、
前記複数の異なる周波数範囲の少なくともいくつかの中で、前記補助トランスデューサの信号振幅出力値を、前記基準トランスデューサの信号振幅出力値に一致させるのに適合したフィルタとを含む装置。
【請求項２６】
前記信号振幅出力値から、前記補助トランスデューサの信号経路の伝達関数を計算するのに適合した、行列処理装置をさらに含む、請求項２５に記載の、出力を一致させるための装置。
【請求項２７】
前記行列処理装置により提供された伝達関数を逆にしてフィルタにするのに適合した、フィルタ処理装置をさらに含む、請求項２６に記載の、出力を一致させるための装置。
【請求項２８】
前記周波数範囲のそれぞれの中で、前記補助トランスデューサおよび基準トランスデューサからの信号の振幅を比較するのに適合した、比較器をさらに含む、請求項２５に記載の、出力を一致させるための装置。
【請求項２９】
前記補助トランスデューサを、ラベリアマイクロフォンと定義するための手段をさらに含む、請求項２５に記載の、出力を一致させるための装置。
【請求項３０】
前記基準トランスデューサを、演壇に取り付けられたマイクロフォンと定義するための手段をさらに含む、請求項２５に記載の、出力を一致させるための装置。
【請求項３１】
前記音声信号を、人のスピーチと定義するための手段をさらに含む、請求項２５に記載の、出力を一致させるための装置。
【請求項３２】
携帯型信号トランスデューサからの出力を基準信号トランスデューサからの出力と一致させるための方法であって、前記携帯型信号源および基準信号源は、異なる信号経路に沿って信号を受け取り、前記方法は、
各信号トランスデューサからの、所定の時間領域内での信号を、所定の周波数領域内での複数の周波数振幅値に変換するステップと、
前記携帯型トランスデューサの、複数の周波数振幅値の少なくともいくつかの大きさを調節して、前記基準トランスデューサの周波数振幅値の対応する組に、実質的に一致させるステップとを含む方法。
【発明の詳細な説明】
【技術分野】
【０００１】
本発明の分野は、拡声システムに関し、詳細には、１人の話者による複数のマイクロフォンの使用に関する。
【背景技術】
【０００２】
マイクロフォンおよび音声増幅システムの使用は、５０人程度以上の聴衆を含むあらゆる演説イベントに不可欠な部分である。通常、話者には、増幅器に接続され、演壇に取り付けられたマイクロフォンが提供される。前記話者の声を増幅するために、前記増幅器に接続された一組のオーディオスピーカーが、聴衆のいる空間全体に分散される。
【０００３】
前記話者が（例えば、黒板に書いたり、聴衆と対話したりするために）部屋の中をあちこち動き回る移動性を必要とする、その他の場合には、ポータブルマイクロフォン（例えば、無線マイクロフォン）が使用されてもよい。無線マイクロフォンは、無線高周波送信機を、一組のバッテリとともに前記マイクロフォンに組み込むことにより機能する。近くにある受信機が、高周波信号を受信して、前記話者の音声を増幅器に結合するために動作する。
【０００４】
ポータブルマイクロフォンの１つの種類は、ラベリアマイクロフォンと呼ばれる。ラベリアマイクロフォンは、通常、手持ち式ではなく、その代わりに、使用者の衣服に取り付けられる場合がある。ラベリアマイクロフォンは、有線または無線のいずれであってもよいが、通常は無線である。
【発明の開示】
【発明が解決しようとする課題】
【０００５】
ラベリアマイクロフォンは、多くの場合、手持ち式または演壇に取り付けられたマイクロフォンよりも便利に使用できるが、雑音や妨害を受けやすい。雑音や妨害が増加する理由の１つは、ラベリアマイクロフォンは、話者の口のすぐ前、または非常に近くには配置されないためである。このように、ラベリアマイクロフォンは話者の口から離れているため、ラベリアマイクロフォンからの音は、多くの場合、こもっているように聞こえ、また、室内雑音の影響を受けやすい。
【０００６】
しかし、ラベリアマイクロフォンは、前記のような欠点を有するにもかかわらず、柔軟性を提供するため、多くの場合、話者は、そのような装置を使用せざるをえない。演説時には柔軟性が重要となるので、位置に適合するラベリアマイクロフォンが必要とされる。
【課題を解決するための手段】
【０００７】
補助信号トランスデューサの出力を基準信号トランスデューサの出力と一致させるための方法および装置が提供される。ここで、前記補助信号トランスデューサおよび基準信号トランスデューサは、共通信号源からの音声信号を、個々の異なる信号経路に沿って受け取る。前記方法は、前記個々の信号経路に沿って受け取られた音声信号に対応して、前記補助トランスデューサおよび前記基準トランスデューサにより提供される信号振幅出力値を、複数の異なる周波数範囲のそれぞれの中で判定するステップと、前記基準トランスデューサの個々の信号振幅出力値に基づいて、前記補助トランスデューサの信号振幅出力値を、前記複数の異なる周波数範囲の少なくともいくつかで調節するステップとを含む。
【発明を実施するための最良の形態】
【０００８】
図１に示すように、話者１２からの音声信号１４は、第１の音響経路１６に沿って、第１の基準マイクロフォン（例えば、演壇に取り付けられたマイクロフォン）に伝わってもよく、さらに、第２の音響経路１８に沿って、補助マイクロフォン（例えば、ラベリアマイクロフォン）２２に伝わってもよい。
【０００９】
マイクロフォン２０、２２のうちの１つからの音声信号は、前記音声信号に対応する電気信号に変換され、信号処理装置２４に転送されてもよく、信号処理装置２４で、前記信号は、再生音声信号の音響特性を向上するために、特定の処理ルーチン（例えば、フィルタリング）を受けてもよい。処理装置２４からの処理済み音声信号は、増幅器２６内で増幅され、一組のオーディオスピーカー２８、３０に印加されてもよい。スピーカー２８、３０内では、前記電気信号が、聴衆３２により聞かれる、もとの音声信号に変換される。
【００１０】
このシステムの使用中、話者１２は、演壇（図示せず）のところに立ち、演壇に取り付けられたマイクロフォン２０に向かって直接話してもよい。ある閾値を超えた音声信号を検出すると、演壇に取り付けられたマイクロフォン２０が、聴衆３２へのプレゼンテーションのための信号源として選択されてもよい。
【００１１】
あるいは、話者１２は、演壇のマイクロフォン２０から離れた場所に歩いて行ってもよい。話者１２が、演壇に取り付けられたマイクロフォン２０から離れた場所に歩いて行くにつれて、処理装置２４（または、増幅器２６内のレベル検出器４８）は、演壇に取り付けられたマイクロフォン２０からの信号エネルギーの減少を検出して、自動的に、ラベリアマイクロフォン２２を信号源として選択してもよい。ラベリアマイクロフォン２２は、有線式または無線式のいずれであってもよい。
【００１２】
この方法は、話者１２のより大きな移動性を可能にするために使用できるが、話者１２が演壇から離れた場所に歩いて行くにつれて、話者１２の増幅された音声が変化する場合があるということは、これまで一般に認識されてこなかった。前記変化は、一般に、前記話者の口とマイクロフォンとの間の距離の変化により、また、前記マイクロフォンに対する前記話者の口の向きの変化により発生するものとして特徴付けられることが可能である。この変化は、微妙な場合があるが、それでも一部の人にとっては気を散らすものとなる可能性がある。
【００１３】
本発明の例示されている実施形態では、信号処理装置２４は、演壇に取り付けられたマイクロフォン２０およびラベリアマイクロフォン２２の両方からの信号出力を定期的に計測してもよい。前記出力の計測に続いて、処理装置２４は、２つのマイクロフォン２０、２２からの出力の差を検出し、前記出力のスペクトルの違いを実質的になくすために、フィルタ３４内で一組の係数を調節してもよい。
【００１４】
演壇に取り付けられたマイクロフォン２０は、使用中に、話者１２の真正面に配置されていてもよいので、前記マイクロフォンに衝突する音響エネルギーを、そのような音響信号の電気的表現に、より正確に変換するものと期待される。これに対して、ラベリアマイクロフォン２２は、前記話者の胸部のどこかに取り付けられていてもよいので、前記話者の直線見通し線上に、前記話者の口元にない可能性がある。
【００１５】
距離と向きに差があるため、話者１２の音声１４は、演壇のマイクロフォン２０への見通し線経路１６に沿っては受けることのない大幅な劣化を、ラベリアマイクロフォン２２への経路１８に沿っては受ける可能性がある。例えば、直線見通し線の欠如は、必ず、経路１８に沿った音声信号１４の音質および高周波成分の劣化を招く。さらに、ラベリアマイクロフォン２２が話者の衣服により部分的に覆われている場合は、スペクトル内容および振幅のさらなる劣化が発生する可能性がある。
【００１６】
ラベリアマイクロフォン２２の位置により発生する音響信号品質の劣化を訂正するために、処理装置２４は、最初に（または定期的に）、ラベリアマイクロフォン２２を通過する音響経路を特徴付ける音響−電気伝達関数の一部を調節してもよい。前記音響−電気伝達関数は、経路１８、マイクロフォン２２内の音響−電気（信号）トランスデューサ、および処理装置２４内のラベリアマイクロフォンフィルタ３４の影響を含んでいてもよい。マイクロフォン２２のトランスデューサは、比較的安定しているので、処理装置２４は、経路１８内の変化を検出し、必要に応じて、経路１８により生成された影響を打ち消すようにフィルタ３４を調節してもよい。
【００１７】
エラー検出のモードは、音響経路１８により発生する劣化のレベルを妥当に検出できる任意の計測に基づいていてもよい。例示されている１つの方法では、経路１６および１８に沿って伝わる音響信号１４が同時に計測され、比較されて、それにより一組の差の値が提供されてもよい。前記差の値は、フィルタリング装置（例えば、有限インパルス応答（ＦＩＲ）フィルタ）３４内で、一組の係数を調節するために使用されてもよい。
【００１８】
経路１６および１８に沿って伝わる音響信号の前記同時計測は、処理装置２４内の一対のアナログ−デジタル（Ａ／Ｄ）変換器３６により達成されてもよい。標本値は、処理装置２４のメモリ内に保存されるか、またはフーリエ処理装置３８に直接渡されてもよい。
【００１９】
フーリエ処理装置３８内で、前記標本値は、信号を時間領域から周波数領域に変換するための、高速フーリエ変換（ＦＦＴ）を受けてもよい。前記フーリエ変換は、音響経路１８の伝達関数を定義するために使用されてもよい一組のパラメータを決定するための方法を提供する。音響経路１８の伝達関数を理解することにより、処理装置２４は、フィルタ３４内で、その経路の影響を訂正してもよい。
【００２０】
実際には、演壇に取り付けられたマイクロフォン２０およびラベリアマイクロフォン２２からの信号の前記ＦＦＴ変換は、人の声の範囲内にある多数の周波数スペクトルのそれぞれの、信号エネルギーの振幅計測を提供する。本発明の最も単純な形態では、それらのスペクトルのそれぞれについて、差の値を形成するために、比較器４０が使用されてもよい。フィルタ処理装置５６は、前記差の値を、対応する係数に変換し、前記係数をＦＩＲフィルタ３４内に組み込んでもよい。例えば、前記ＦＦＴ変換により、３ｋＨｚ〜３．２５ｋＨｚの周波数範囲内では、ラベリアマイクロフォン２２は演壇のマイクロフォン２０よりも５ｄＢ低いことが示された場合、その範囲内の周波数応答を５ｄＢ上げるために、ＦＩＲフィルタ３４に、対応する調節が行われてもよい。演壇のマイクロフォン２０の周波数応答とラベリアマイクロフォン２２の周波数応答との間の１対１の関係を達成するために、その他の周波数範囲にわたって、同様の調節が行われてもよい。
【００２１】
例示されている他の実施形態では、行列処理装置４２が、前記ＦＦＴ値を取り、音響経路１８を特徴付ける伝達関数行列（Ｍ）を形成してもよい。行列処理装置４２は、次に、行列Ｍを逆にしてもよい（つまり、逆行列（Ｍ−１）の係数を計算してもよい）。前記逆行列（逆伝達関数）は、次に、逆伝達関数フィルタ４４内に組み込まれてもよく、逆伝達関数フィルタ４４は、経路１８の影響を打ち消すために、ラベリアマイクロフォン２２からの信号に直接作用してもよい（つまり、ＭＭ−１＝１）。あるいは、前記逆伝達関数は、ＦＩＲフィルタ３４に直接組み込まれてもよい。
【００２２】
本発明の例示されている他の実施形態では、演壇のマイクロフォン２０内およびラベリアマイクロフォン２２内に存在する音響エラーが、両方とも訂正されてもよい。この場合、マイクロフォンの性能に関する製造業者のデータが、演壇のマイクロフォン２０を特徴付ける第１の伝達関数行列内に組み込まれてもよい。
【００２３】
第１のステップとして、演壇のマイクロフォン２０の前記伝達関数行列が、話者１２の口で実際に生成された音響信号１４（行列形式）の真のバージョンを回復するために使用されてもよい。音響信号１４の前記真のバージョンを使用することにより、経路１８およびラベリアマイクロフォン２２の全体的な伝達関数を特徴付ける、訂正された伝達関数が、ラベリアマイクロフォン２２の出力において検出される信号から、行列処理装置４２内で計算されてもよい。
【００２４】
前記訂正された伝達関数は、次に、フィルタ処理装置５６内で逆にされ、経路１８およびラベリアマイクロフォン２２の影響を打ち消すフィルタ４４内に組み込まれてもよい。前記訂正された逆行列は、逆伝達関数行列フィルタ４４またはＦＩＲフィルタ３４内に組み込まれてもよい。
【００２５】
前記訂正された逆伝達関数（または、上述のその他の方法）を使用することにより、話者１２は、知覚される音声品質の違いなしに、前記演壇に近付くこと、または聴衆がいる領域全体を歩き回ることが可能となる。さらに、ラベリアマイクロフォン２２のマッチングまたはキャリブレーションが、自動的に、または所定のイベントの発生時に実行されてもよい。例えば、前記演壇の上または付近に、あるいは処理装置２４上に、ボタン４６が提供されていてもよく、ボタン４６は、話者１２が演壇のマイクロフォン２０のすぐ近くにいる間、話者１２により活性化されてもよい。押しボタン４６の活性化は、ラベリアマイクロフォン２２の出力を、話者の音声１２と、または少なくとも、演壇のマイクロフォン２０の出力と、スペクトル的に一致させるように、処理装置２４に通知するための、トリガリングイベントとして使用されてもよい。押しボタン４６の活性化により、処理装置２４は、１０秒間のマッチングルーチンに入ってもよく、前記マッチングルーチンでは、ラベリアマイクロフォン２２からの信号のスペクトル内容が、演壇のマイクロフォン２０のスペクトル内容と一致させられてもよい。
【００２６】
さらに、比較的大きな信号偏移の場合、前記マッチングは、処理装置２４内で達成されることが可能であることが分かっている。例えば、処理装置２４は、±１０ｄＢのレベル差で、確実に動作することが分かっている。
【００２７】
その上、処理装置２４は、マッチング不能な信号（つまり、スペクトルのレベルではなく、スペクトル内容が異なる信号）の存在を検出する機能を備えていてもよい。この場合、前記処理装置は、個々の周波数スペクトル内の信号レベルの全体的な差が、１つの標本周期と次の標本周期の間で、ある閾値を超えた状況を識別するための、ローリング最小可知差異を使用してもよい。この状況が検出された場合は、限度外インジケータが活性化されてもよい。
【００２８】
本発明の１つの好ましい実施形態では、上述の方法および装置は、マイクロフォンなどの音響トランスデューサに適用されてもよい。その他の、代替の実施形態では、トランスデューサという用語は、マイクロフォンを表す必要はなく、任意のトランスデューサまたは信号源を表していてもよい。
【００２９】
本発明の例示されている１つの実施形態では、処理装置２４は、２つの入力および２つの出力を有するスタンドアロン装置であってもよい。第１の入力は、（演壇のマイクロフォン２０からの）基準入力であってもよく、第２の入力は、ラベリアマイクロフォン２２からのものであってもよい。前記第１の入力は、ユニティゲインで、第１の出力５０に伝達されてもよい。第２の入力は、前記マッチングルーチンの最後に、第２の出力５２と第１の出力５０の、レベルおよびスペクトル内容が一致するように、デジタル処理されてもよい。
【００３０】
例示されている他の実施形態では、処理装置２４は、ラベリアマイクロフォン２２のための無線受信機内に組み込まれている。演壇のマイクロフォン２０を接続するための、独立したオーディオ端子が、前記受信機上に提供されていてもよい。
【００３１】
あるいは、処理装置２４は、基準入力と、複数の補助入力とを有する、オーディオミキサーまたは自動ミキサー内に組み込まれていてもよい。この場合は、前記補助入力が、上述のように、前記基準入力と一致させられる。
【００３２】
本発明の作成および使用方法を説明するという目的のために、本発明に従ってトランスデューサ入力を一致させるための方法および装置の、特定の実施形態について説明した。本発明のその他の変形形態と変更形態、およびそのさまざまな態様の実施が、当業者にとっては明らかであるということ、ならびに、本発明は、説明した特定の実施形態に限定されるものではないということが理解されなければならない。したがって、ここで開示され、特許請求された、基礎的な原理の本質と範囲に含まれる、すべての変更形態、変形形態、または均等物が、本発明に含まれるものと考えられる。
【図面の簡単な説明】
【００３３】
【図１】本発明の例示されている実施形態に従って、補助信号トランスデューサの出力を基準信号トランスデューサの出力と一致させるためのシステムを示す。
【符号の説明】
【００３４】
１２  話者
１４  音声信号
１６  第１の音響経路
１８  第２の音響経路
２０  演壇に取り付けられたマイクロフォン
２２  ラベリアマイクロフォン
２４  信号処理装置
２６  増幅器
２８  オーディオスピーカー
３０  オーディオスピーカー
３２  聴衆
３４  ＦＩＲフィルタ
３６  アナログ‐デジタル（Ａ／Ｄ）変換器
３８  フーリエ処理装置
４０  比較器
４２  行列処理装置
４４  逆伝達関数フィルタ
４６  ボタン
４８  レベル検出器
５０  第１の出力
５２  第２の出力
５４  ＡＤＲ
５６  フィルタ処理装置
【図１】
2005080303.tif 000003